(57)【要約】【課題】連続した握り部のどの位置でも握ることができると共に、給湯時の熱が握り部に伝わるのを抑制できる浴室手摺を提供すること。【解決手段】本体胴部１２の上方に握り部１３を形成する手摺本体１１と、本体胴部１２の裏面に、該本体胴部１２の長手方向に沿って適宜間隔をおいて取り付けられるブラケットと、を具備し、本体胴部１２の長手方向の一端にシャワー等の接続部を形成し、本体胴部１２の中間部裏面に水栓連結部７を形成し、水栓連結部７とシャワー等の接続部とを接続する配管８を、本体胴部１２に収容する。【選択図】図２
2019111255.tif 000002
【特許請求の範囲】
【請求項１】
本体胴部の上方に握り部を形成する手摺本体と、
上記本体胴部の裏面に、該本体胴部の長手方向に沿って適宜間隔をおいて取り付けられるブラケットと、を具備し、
上記本体胴部の長手方向の一端にシャワー等の接続部を形成し、上記本体胴部の中間部裏面に水栓連結部を形成し、上記水栓連結部と上記シャワー等の接続部とを接続する配管を、上記本体胴部に収容してなる、
ことを特徴とする浴室手摺。
【請求項２】
請求項１に記載の浴室手摺において、
上記本体胴部は、中空筒状部を有し、上記中空筒状部内に上記配管が挿入されている、ことを特徴とする浴室手摺。
【請求項３】
請求項２に記載の浴室手摺において、
上記配管は、上記本体胴部の内壁に嵌合されるホルダー部材によって固定されている、ことを特徴とする浴室手摺。
【請求項４】
請求項３に記載の浴室手摺において、
上記ホルダー部材は、上記配管を抱持する断面略U字状の保持部と、該保持部の開口側両端から外方に延在する一対のフランジ部と、を有し、上記フランジ部を、上記本体胴部の内壁に形成された狭隘開口溝に嵌合可能に形成してなる、ことを特徴とする浴室手摺。
【請求項５】
請求項１に記載の浴室手摺において、
上記水栓連結部は、連結用ブラケット内に収容されている、ことを特徴とする浴室手摺。
【請求項６】
請求項５に記載の浴室手摺において、
上記連結用ブラケットは、上記水栓連結部に接続される上記配管の端部が挿通可能な挿通孔を有する止水用パッキンを介して上記本体胴部に固定される手摺側ブラケット半体と、浴室の壁面に固定される壁側ブラケット半体とからなり、上記手摺側ブラケット半体に設けられた係止垂下片を、上記壁側ブラケット半体の上端部に設けられた係止段部に係合可能に形成してなる、ことを特徴とする浴室手摺。
【請求項７】
請求項１に記載の浴室手摺において、
上記手摺本体の長手方向の端部にエンドキャップが被着され、上記エンドキャップに、上記シャワー等の接続部が形成されている、ことを特徴とする浴室手摺。
【請求項８】
請求項１に記載の浴室手摺において、
上記ブラケットは、一端が上記本体胴部に固定される手摺側ブラケット半体と、浴室の壁面に固定される略L字状の壁側ブラケット半体とからなり、上記手摺側ブラケット半体の他端に設けられた係止垂下片を、上記壁側ブラケット半体の垂直部の上端部に設けられた係止段部に係合可能に形成すると共に、上記壁側ブラケット半体の水平部と上記手摺側ブラケット半体の一端側下部とをねじ部材によって固定可能に形成してなる、ことを特徴とする浴室手摺。
【請求項９】
請求項１に記載の浴室手摺において、
上記手摺本体を金属製部材にて形成し、上記手摺本体の前面部、握り部及び裏面部に合成樹脂製のカバー材を嵌合被着してなる、ことを特徴とする浴室手摺。
【請求項１０】
請求項９に記載の浴室手摺において、
上記カバー材の長手方向の端部に合成樹脂製のエンドキャップが被着され、上記エンドキャップに、上記シャワー等の接続部が形成されている、ことを特徴とする浴室手摺。
【請求項１１】
請求項１に記載の浴室手摺において、
上記本体胴部の下部に添設される照明ユニットを更に具備し、
上記照明ユニットは、プリント基板に所定のピッチで発光素子を実装してなる光源と、該光源を保持する透光性を有するケースとからなり、
上記ケースは、上記本体胴部の下部に設けられた下方が開口する取付凹溝に嵌合可能に形成され、
上記照明ユニットの給電ケーブルと上記水栓連結部は、連結用ブラケット内に収容されている、
ことを特徴とする浴室手摺。
【請求項１２】
請求項１１に記載の浴室手摺において、
上記連結用ブラケットは、上記給電ケーブルが挿通可能な挿通孔と、上記水栓連結部に接続される上記配管の端部が挿通可能な挿通孔を有する止水用パッキンを介して上記本体胴部に固定される手摺側ブラケット半体と、浴室の壁面に固定される壁側ブラケット半体とからなり、上記手摺側ブラケット半体に設けられた係止垂下片を、上記壁側ブラケット半体の上端部に設けられた係止段部に係合可能に形成してなる、ことを特徴とする浴室手摺。
【請求項１３】
請求項１に記載の浴室手摺において、
上記手摺本体の裏面に、長手方向に沿う段部を形成し、
上記ブラケットの両側面に、水平段部を形成し、
上記手摺本体の上記段部と、隣接する上記ブラケットの対向する上記水平段部に棚を載置可能に形成してなる、ことを特徴とする浴室手摺。
【発明の詳細な説明】
【技術分野】
【０００１】
この発明は、例えばシャワー等に接続する配管を収容する浴室手摺に関するものである。
【背景技術】
【０００２】
従来、パイプ状手摺本体内に、シャワーに接続するチューブ（配管）を収容した手摺が知られている（例えば、特許文献１参照）。
【０００３】
特許文献１に記載のものは、パイプ状手摺本体内に、シャワーに接続するチューブ（配管）と、温度調節弁，流量調節弁及び浄水器等の機能部（水栓部）とを収容してなり、本体部と一体に形成された脚部は、浴室側壁内に配設された給水配管、給湯配管に接続された状態で浴室側壁面に固定される構造である。
【先行技術文献】
【特許文献】
【０００４】
【特許文献１】特開２００３−１４７８２０号公報
【発明の概要】
【発明が解決しようとする課題】
【０００５】
しかしながら、特許文献１に記載のものにおいては、配管と水栓を内蔵した手摺であるが、パイプ状の手摺本体に形成されているため、水栓部や浴室側壁内の給水配管、給湯配管と接続する脚部であるブラケットが直接手摺握り部に設けられ、手摺として握ることのできる部分が限定される懸念がある。
また、握り部分に配管されているため、給湯時の熱が握り部に伝わり、熱くなる懸念がある。
【０００６】
この発明は、上記事情に鑑みてなされたもので、連続した握り部のどの位置でも握ることができると共に、給湯時の熱が握り部に伝わるのを抑制できる浴室手摺を提供する。
【課題を解決するための手段】
【０００７】
上記課題を解決するため、この発明に係る手摺は、本体胴部の上方に握り部を形成する手摺本体と、上記本体胴部の裏面に、該本体胴部の長手方向に沿って適宜間隔をおいて取り付けられるブラケットと、を具備し、上記本体胴部の長手方向の一端にシャワー等の接続部を形成し、上記本体胴部の中間部裏面に水栓連結部を形成し、上記水栓連結部と上記シャワー等の接続部とを接続する配管を、上記本体胴部に収容してなる、ことを特徴とする（請求項１）。
【０００８】
このように構成することにより、握り部の下方に位置する本体胴部内に配管を収容した状態で、本体胴部に取り付けられるブラケットを介して浴室の壁面に固定することができる。
また、握り部の下方に位置する本体胴部内に配管を収容することで、給湯時の熱が本体胴部から握り部に伝わり難くすることができる。
【０００９】
この発明において、上記本体胴部は、中空筒状部を有し、上記中空筒状部内に上記配管が挿入されているのが好ましい（請求項２）。この場合、上記配管は、上記本体胴部の内壁に嵌合されるホルダー部材によって固定されているのが好ましい（請求項３）。
また、上記ホルダー部材は、上記配管を抱持する断面略U字状の保持部と、該保持部の開口側両端から外方に延在する一対のフランジ部と、を有し、上記フランジ部を、上記本体胴部の内壁に形成された狭隘開口溝に嵌合可能に形成するのが好ましい（請求項４）。
【００１０】
このように構成することにより、配管を中空筒状部内に挿入して目隠しすることができる。
この場合、配管をホルダー部材によって固定することができ、ホルダー部材に設けられたフランジ部を、本体胴部の内壁に形成された狭隘開口溝に嵌合して配管を固定することができる（請求項３，４）。
【００１１】
また、この発明において、上記水栓連結部は、連結用ブラケット内に収容されているのが好ましい（請求項５）。
この場合、上記連結用ブラケットは、上記水栓連結部に接続される上記配管の端部が挿通可能な挿通孔を有する止水用パッキンを介して上記本体胴部に固定される手摺側ブラケット半体と、浴室の壁面に固定される壁側ブラケット半体とからなり、上記手摺側ブラケット半体に設けられた係止垂下片を、上記壁側ブラケット半体の上端部に設けられた係止段部に係合可能に形成するのが好ましい（請求項６）。
【００１２】
このように構成することにより、連結用ブラケットによって水栓連結部をカバーすることができる。
この場合、連結用ブラケットを構成する、本体胴部に固定される手摺側ブラケット半体に設けられた係止垂下片を、連結用ブラケットを構成する浴室の壁面に固定された壁側ブラケット半体の上端部に設けられた係止段部に係合して取り付けることができる。
【００１３】
また、この発明において、上記手摺本体の長手方向の端部にエンドキャップが被着され、上記エンドキャップに、上記シャワー等の接続部が形成されているのが好ましい（請求項７）。
【００１４】
このように構成することにより、手摺本体の長手方向の端部を、シャワー等の接続部を形成したエンドキャップによって被覆することができる。
【００１５】
また、この発明において、上記ブラケットは、一端が上記本体胴部に固定される手摺側ブラケット半体と、浴室の壁面に固定される略L字状の壁側ブラケット半体とからなり、上記手摺側ブラケット半体の他端に設けられた係止垂下片を、上記壁側ブラケット半体の垂直部の上端部に設けられた係止段部に係合可能に形成すると共に、上記壁側ブラケット半体の水平部と上記手摺側ブラケット半体の一端側下部とをねじ部材によって固定可能に形成するのが好ましい（請求項８）。
【００１６】
このように構成することにより、本体胴部に固定される手摺側ブラケット半体に設けられた係止垂下片を、浴室の壁面に固定される壁側ブラケット半体に設けられた係止段部に係合させた状態で、壁側ブラケット半体の水平部と手摺側ブラケット半体の一端側下部とをねじ部材によって固定することができる。
【００１７】
また、この発明において、上記手摺本体を金属製部材にて形成し、上記手摺本体の前面部、握り部及び裏面部に合成樹脂製のカバー材を嵌合被着するのが好ましい（請求項９）。
この場合、上記カバー材の長手方向の端部に合成樹脂製のエンドキャップが被着され、上記エンドキャップに、上記シャワー等の接続部が形成されているのが好ましい（請求項１０）。
【００１８】
このように構成することにより、手摺本体に強度を持たせることができると共に、外観や触感を高めることができる。
この場合、シャワー等の接続部が形成されたエンドキャップをカバー材の長手方向の端部に被着することで、手摺本体及びカバー材の長手方向の端部を、シャワー等の接続部を形成したエンドキャップによって被覆することができる。また、カバー材の熱膨張によってエンドキャップが脱落するのを防止することができる。
【００１９】
また、この発明において、上記本体胴部の下部に添設される照明ユニットを更に具備し、上記照明ユニットは、プリント基板に所定のピッチで発光素子を実装してなる光源と、該光源を保持する透光性を有するケースとからなり、上記ケースは、上記本体胴部の下部に設けられた下方が開口する取付凹溝に嵌合可能に形成され、上記照明ユニットの給電ケーブルと上記水栓連結部は、連結用ブラケット内に収容されているのが好ましい（請求項１１）。
この場合、上記連結用ブラケットは、上記給電ケーブルが挿通可能な挿通孔と、上記水栓連結部に接続される上記配管の端部が挿通可能な挿通孔を有する止水用パッキンを介して上記本体胴部に固定される手摺側ブラケット半体と、浴室の壁面に固定される壁側ブラケット半体とからなり、上記手摺側ブラケット半体に設けられた係止垂下片を、上記壁側ブラケット半体の上端部に設けられた係止段部に係合可能に形成するのが好ましい（請求項１２）。
【００２０】
このように構成することにより、連結用ブラケットによって水栓連結部と照明ユニットの給電ケーブルをカバーすることができる。
この場合、連結用ブラケットを構成する本体胴部に固定される手摺側ブラケット半体に設けられた係止垂下片を、連結用ブラケットを構成する浴室の壁面に固定された壁側ブラケット半体の上端部に設けられた係止段部に係合して取り付けることができる。
【００２１】
加えて、この発明において、上記手摺本体の裏面に、長手方向に沿う段部を形成し、上記ブラケットの両側面に、水平段部を形成し、上記手摺本体の上記段部と、隣接する上記ブラケットの対向する上記水平段部に棚を載置可能に形成するのが好ましい（請求項１３）。
【００２２】
このように構成することにより、手摺本体の裏面に形成された段部と、隣接するブラケットに形成された水平段部の三辺に棚を載置することができる。
【発明の効果】
【００２３】
この発明によれば、上記のように構成されているので、以下のような優れた効果が得られる。
【００２４】
（１）請求項１に記載の発明によれば、握り部の下方に位置する本体胴部内に配管を収容した状態で、本体胴部に取り付けられるブラケットを介して浴室の壁面に固定するので、連続した握り部のどの位置でも握ることができると共に、給湯時の熱が本体胴部から握り部に伝わり難くして、握り部が熱くなるのを抑制できる。
【００２５】
（２）請求項２に記載の発明によれば、上記（１）に加えて、更に配管は中空筒状部内に収容されるため、配管は外部に露出することがない。
この場合、ホルダー部材によって配管をがたつくことがなく固定することができる。また、ホルダー部材に設けられたフランジ部を、本体胴部の内壁に形成された狭隘開口溝に嵌合して配管を固定することができるので、配管の取付を容易にすることができると共に、配管の保持を確実にすることができる（請求項３，４）。
【００２６】
（３）請求項５に記載の発明によれば、上記（１）に加えて、更に連結用ブラケットによって水栓連結部をカバーすることができるので、水栓連結部は外部に露出することがない。したがって、使用者が手摺使用時に誤って水栓連結部に触れるのを防止することができる。
この場合、連結用ブラケットを構成する本体胴部に固定される手摺側ブラケット半体に設けられた係止垂下片を、連結用ブラケットを構成する浴室の壁面に固定された壁側ブラケット半体の上端部に設けられた係止段部に係合して取り付けるので、連結用ブラケットの取付を容易にすることができると共に、確実にすることができる（請求項６）。
【００２７】
（４）請求項７に記載の発明によれば、上記（１）に加えて、更に手摺本体の長手方向の端部を、シャワー等の接続部を形成したエンドキャップによって被覆することで、手摺本体の長手方向の端面及び内部を外部から目隠しすることができると共に、手摺内部への水の浸入を防止することができる。
【００２８】
（５）請求項８に記載の発明によれば、上記（１）に加えて、更に本体胴部に固定される手摺側ブラケット半体に設けられた係止垂下片を、浴室の壁面に固定される壁側ブラケット半体に設けられた係止段部に係合させた状態で、壁側ブラケット半体の水平部と手摺側ブラケット半体の一端側下部とをねじ部材によって固定することができる。したがって、手摺本体の取付を容易にすることができると共に、確実に固定することができる。
【００２９】
（６）請求項９に記載の発明によれば、上記（１）に加えて、更に手摺本体に強度を持たせることができると共に、外観や触感を高めることができる。
この場合、手摺本体及びカバー材の長手方向の端部を、シャワー等の接続部を形成したエンドキャップによって被覆することで、手摺本体及びカバー材の長手方向の端面と手摺本体の内部を外部から目隠しすることができる。また、カバー材の熱膨張によってエンドキャップが脱落するのを防止することができる（請求項１０）。
【００３０】
（７）請求項１１に記載の発明によれば、上記（１）に加えて、更に連結用ブラケットによって水栓連結部と照明ユニットの給電ケーブルをカバーすることができるので、水栓連結部と照明ユニットの給電ケーブルは外部に露出することがない。したがって、使用者が手摺使用時に誤って水栓連結部と照明ユニットの給電ケーブルに触れるのを防止することができる。
この場合、連結用ブラケットを構成する本体胴部に固定される手摺側ブラケット半体に設けられた係止垂下片を、連結用ブラケットを構成する浴室の壁面に固定された壁側ブラケット半体の上端部に設けられた係止段部に係合して取り付けるので、連結用ブラケットの取付を容易にすることができると共に、確実にすることができる（請求項１２）。
【００３１】
（８）請求項１３に記載の発明によれば、上記（１）に加えて、更に手摺本体の裏面に形成された段部と、隣接するブラケットに形成された水平段部の三辺に棚を載置することができるので、棚を安定した状態で載置することができると共に、手摺本体の裏面側とブラケット間のスペースの有効利用が図れる。
【図面の簡単な説明】
【００３２】
【図１】この発明に係る浴室手摺の第１実施形態の使用状態を示す斜視図である。
【図２】図１のＩ−Ｉ線に沿う拡大断面図である。
【図２Ａ】この発明における配管の保持部を示す断面図である。
【図２Ｂ】この発明における配管の接続部及び照明ユニットの取付部を示す断面図である。
【図３】この発明における手摺本体とカバー材及び照明ユニットの取付状態を示す断面図である。
【図４Ａ】この発明におけるブラケットの取付状態を示す断面図である。
【図４Ｂ】上記ブラケットを構成する手摺側ブラケット半体と壁側ブラケット半体の連結状態を示す断面図である。
【図５】この発明における連結用ブラケットを示す分解斜視図である。
【図６】この発明におけるブラケットを示す分解斜視図である。
【図７】この発明における手摺本体、カバー材及びエンドキャップを示す分解斜視図である。
【図８】この発明の構成部材の全体を示す分解斜視図である。
【図９】この発明における手摺本体、カバー材、ブラケット及び連結用ブラケットを示す分解斜視図である。
【図１０】浴室手摺を取り付ける前の状態を示す分解斜視図である。
【図１１】取付前の浴室手摺の裏面側を示す背面図である。
【図１２】この発明に係る浴室手摺の第２実施形態の取付部を示す断面図である。
【図１３】第２実施形態における手摺本体とエンドキャップを示す分解斜視図である。
【図１３Ａ】第２実施形態におけるエンドキャップを示す斜視図である。
【図１４】この発明における手摺本体とブラケットに棚を載置する前の状態を示す概略平面図（ａ）及び棚を載置した状態を示す概略平面図（ｂ）である。
【図１５】この発明における棚の載置状態を示す斜視図である。
【発明を実施するための形態】
【００３３】
以下に、この発明に係る浴室手摺の実施形態を添付図面に基づいて詳細に説明する。
【００３４】
＜第１実施形態＞
この発明に係る浴室手摺１０は、浴室１の出入口（図１の右手前側）と浴槽３に隣接した壁面２に取り付けられており、シャワー等に接続する銅製の配管８が収容されている。また、浴室手摺１０の下部には照明ユニット５０が添設されている。
【００３５】
上記浴室手摺１０は、本体胴部１２の上方に握り部１３を形成する手摺本体１１と、本体胴部１２の裏面に、該本体胴部１２の長手方向に沿って適宜間隔をおいて取り付けられる複数例えば４個のブラケット３０によって壁面２に取り付けられている。
【００３６】
また、本体胴部１２の長手方向の一端には、シャワー４に接続するホース４ａを接続するシャワー等の接続部５が形成され、本体胴部１２の中間部裏面には、混合水栓６に接続された水栓連結部７が形成され、水栓連結部７と接続部５とを接続する配管８が本体胴部１２内に収容されている。
【００３７】
手摺本体１１は、例えばアルミニウム製押出形材等の金属製部材にて形成されており、前面と裏面が平坦な中空筒状部１２ａを有する本体胴部１２と、本体胴部１２の上方に、前面が本体胴部１２の前面から直状に延在し、裏面側が円弧状に括れた指掛け凹部１３ａを有する中空状の握り部１３とが一体に形成されている。この場合、手摺本体１１の上下方向の寸法は約１８０ｍｍであり、本体胴部１２と握り部１３の寸法は略同寸法となっている。
【００３８】
この場合、本体胴部１２の裏面側の下端には照明ユニット５０を取り付ける下方が開口する取付凹溝１４が形成されている。
また、本体胴部１２の下端における取付凹溝１４を挟んだ前面側と裏面側には、後述するカバー材２０を取り付けるための係合溝１５ａ，１５ｂが設けられている。
【００３９】
この場合、図３に示すように、一方の係合溝１５ａは、本体胴部１２の前面と下面の隅角部において、下方に向かって傾斜状に開口する凹溝にて形成されている。また、他方の係合溝１５ｂは、本体胴部１２の裏面における取付凹溝１４の縁部において、下方に向かって傾斜状に開口する凹溝にて形成されている。
【００４０】
また、本体胴部１２の前面側内壁には、狭隘開口溝１６が長手通しに形成されている。この場合、狭隘開口溝１６の上部側は下部側に対して深く形成されている。この狭隘開口溝１６の両側と対向する前面側表面には互いに平行な２条の浅溝１７が形成されている。この浅溝１７には固定ねじ１７ｂが挿通可能な挿通孔１７ａが設けられている。
なお、前面側内壁の狭隘開口溝１６の中央部には内方に向かって突出する略Ｔ字状の補強リブ１８ａが形成されている。
また、手摺本体１１の中間部における本体胴部１２の裏面側には、配管８の端部のエルボ部８ｂと照明ユニット５０の給電ケーブル５６が挿通可能な長孔１２ｂが設けられている。また、手摺本体１１の裏面における本体胴部１２と握り部１３との間には、長手方向に沿う段部１２ｄが形成されている（図３参照）。
【００４１】
一方、握り部１３の中空部内には円弧状の指掛け凹部１３ａの対称の２箇所から前面側に向かって広がる２本の補強リブ１８ｂ，１８ｃが設けられている。このように補強リブ１８ｂ，１８ｃを設けることによって握り部１３をトラス構造にして強度が高められている。
なお、手摺本体１１の前面部、握り部１３及び裏面部の表面には適宜間隔をおいて複数の小凸条１８ｄが突設されている（図３参照）。
【００４２】
また、上記のように形成される手摺本体１１の前面部、握り部１３及び裏面部の表面には、合成樹脂製のカバー材２０が嵌合被着されている。
【００４３】
カバー材２０は、例えばＡＢＳ等の樹脂製部材にて形成されており、手摺本体１１の前面部、握り部１３、指掛け凹部１３ａ、段部１２ｄ及び裏面部を連続して覆うと共に、下端に開口部２１を有する下向き溝形に形成されている。なお、カバー材２０の裏面側の中間部には、本体胴部１２に設けられた長孔１２ｂと対向する部位に、本体胴部１２に設けられた長孔１２ｂに連通する配管挿通孔２０ａが設けられている。
【００４４】
また、カバー材２０の裏面側には、照明ユニット５０の給電ケーブル５６が挿通可能なケーブル挿通孔２０ｂが設けられると共に、ブラケット３０を固定する固定ねじ３１ｂ又は連結用ブラケット４０を固定する固定ねじ４１ｄが挿通可能な挿通孔２０ｃが設けられている（図９参照）。
また、カバー材２０の開口部２１の対向する両側縁には、手摺本体１１の本体胴部１２の下部に設けられた係合溝１５ａ，１５ｂに嵌合可能な係止凸条２２ａ，２２ｂが形成されている。
【００４５】
上記のように形成されるカバー材２０は、下端の開口部２１を広げるようにして手摺本体１１の上方から手摺本体１１に被せた状態で、係止凸条２２ａ，２２ｂを本体胴部１２の下部に設けられた係合溝１５ａ，１５ｂにスナップ嵌合させることによって手摺本体１１に被着される。
なお、手摺本体１１とカバー材２０との間に隙間が生じるが、手摺本体１１の表面に設けられた小凸条１８ｄがカバー材２０の内面に接触することによって、カバー材２０の捩れ等によるがたつきを抑制することができる。
【００４６】
また、カバー材２０の長手方向の端部は手摺本体１１より外方に突出しており、このカバー材２０の端部には、エンドキャップ２３が接着剤を介して被着されている。このエンドキャップ２３は、カバー材２０と同様にＡＢＳ等の樹脂製部材にて形成されている。
ここで、エンドキャップ２３を手摺本体１１に接着させずに、カバー材２０に接着した理由は、合成樹脂製のエンドキャップ２３をアルミニウム製の手摺本体１１に接着すると、合成樹脂製のカバー材２０の熱膨張によってエンドキャップ２３が脱落する懸念があるためである。
【００４７】
一端側のエンドキャップ２３には、取付孔２３ａが設けられており、この取付孔２３ａに、ＥＰＤＭ等の合成ゴム製のグロメット２４を介してシャワーホース４ａに接続する接続部５が形成されている（図２Ｂ参照）。また、このエンドキャップ２３の下部には、照明ユニット５０の長手方向の端部に取り付けられた端部キャップ５１の保持部２３ｂが設けられている。
なお、エンドキャップ２３の内面側の外周縁の内方近傍位置に起立壁２３ｃが突設されており、この起立壁２３ｃがカバー材２０の端部内周面に嵌挿可能に形成されている（図７及び図８参照）。
【００４８】
上記配管８は、一端が上記接続部５に接続される直状部８ａと、水栓連結部７に接続されるエルボ部８ｂとを有する銅製パイプにて形成されている。この配管８の直状部には例えば架橋ポリエチレン等の可撓性を有する合成樹脂製の保護チューブ８ｃが被着されており、ホルダー部材１９によって本体胴部１２の内壁に固定されている。
このように、銅製の配管８に合成樹脂製の保護チューブ８ｃを被着することにより、アルミニウム製のホルダー部材１９及び手摺本体１１との接触による電触及び傷防止と、温水からの伝熱防止が図られている。
【００４９】
この場合、ホルダー部材１９は、配管８を抱持する断面略Ｕ字状の保持部１９ａと、保持部１９ａの開口側両端から外方に延在する一対のフランジ部１９ｂとを有する例えばアルミニウム製押出形材にて形成されている（図２Ａ参照）。
この場合、保持部１９ａは段部１９ｃを介して先端円弧側が狭く形成されており、配管を保持した状態で、配管８に被着されている保護チューブ８ｃを押し潰すことで、配管８のがたつきを防止している。また、フランジ部１９ｂにはねじ孔１９ｄが設けられている。
【００５０】
配管８を手摺本体の本体胴部１２内に収容する場合は、予め配管８にホルダー部材１９を取り付けた状態で、ホルダー部材１９の両フランジ部１９ｂを本体胴部１２の内壁に設けられた狭隘開口溝１６に摺動させて、適当な位置で手摺本体１１の前面側からねじ固定する。このとき用いる固定ねじ１７ｂはタッピングビスで、本体胴部１２を貫通してホルダー部材１９に設けられたねじ孔１９ｄにねじ結合する。なお、浅溝１７内にねじ頭部が位置しており、手摺本体１１の前面より突出していない。
【００５１】
なお、本体胴部１２内に収容された配管８のエルボ部８ｂを手摺本体１１の外部に突出させる場合は、配管８を回転させてエルボ部８ｂを本体胴部１２に設けられた長孔１２ｂを介して外方に突出させる。
【００５２】
手摺本体１１の裏面側に突出された配管８のエルボ部８ｂは、連結用ブラケット４０内に収容される水栓連結部７に接続される。
【００５３】
上記照明ユニット５０は、図３に示すように、プリント基板５２に所定のピッチで発光素子５３（ＬＥＤ）を実装してなる光源５４と、該光源５４を保持する透光性を有するケース５５とで構成されており、本体胴部１２の下部に設けられた下方が開口する取付凹溝１４に嵌合可能に形成されている。
【００５４】
この場合、取付凹溝１４は、本体胴部１２の下面部と裏面部の隅角部に開口部１４ａを有する形状に形成されており、開口部１４ａの両側縁に係止凹溝１４ｂ，１４ｃが設けられている。
【００５５】
一方、照明ユニット５０のケース５５は、外形が本体胴部１２の下面と裏面に沿う輪郭に形成されており、ケース５５の両側に設けられた係合舌片５５ａ，５５ｂを係止凹溝１４ｂ，１４ｃにスナップ嵌合させることによって、照明ユニット５０を本体胴部１２の取付凹溝１４に取り付けることができる。
【００５６】
上記のようにして本体胴部１２の取付凹溝１４に取り付けられる照明ユニット５０の給電ケーブル５６は、手摺本体１１の本体胴部１２に設けられた長孔１２ｂ及びカバー材２０に設けられたケーブル挿通孔２０ｂを挿通して手摺本体の裏面側外方に引き出され、配管８のエルボ部８ｂ、水栓連結部７と共に連結用ブラケット４０内に収容される。
【００５７】
上記連結用ブラケット４０は、図２、図５及び図９に示すように、止水用パッキン４３を介して本体胴部１２に固定されるポリアセタール樹脂（ＰＯＭ）等製の手摺側ブラケット半体４１と、浴室１の壁面２に固定されるポリアセタール樹脂（ＰＯＭ）等製の壁側ブラケット半体４２とで構成されている。
【００５８】
この場合、手摺側ブラケット半体４１は、一端に水栓連結部７に接続される配管８のエルボ部８ｂが挿通可能な切欠き４１ａを設けた垂直壁４１ｂを有する下方が開口する半筒状体にて形成されており、垂直壁４１ｂの切欠き４１ａを除いた部位にパッキン４１ｅを貼着してなり、他端の上端部に係止垂下片４１ｆを形成してなる。
なお、垂直壁４１ｂには、手摺側ブラケット半体４１を手摺本体１１に取り付ける固定ねじ４１ｄを挿通する挿通孔４１ｃが上下左右の対称位置の４箇所に設けられている。また、手摺側ブラケット半体４１の両側面には、水平段部４１ｇが形成されている。
【００５９】
一方、壁側ブラケット半体４２は、壁面２に固定される垂直片４２ａと、垂直片４２ａの下端から直交状に屈曲する水平片４２ｂとからなる、略Ｌ字状に形成されており、垂直片４２ａの上端部に上方が開放する係止段部４２ｃが形成されている。
なお、垂直片４２ａには、照明ユニット５０の給電ケーブル５６を挿通するためのケーブル挿通孔４２ｄが設けられており、また、壁側ブラケット半体４２を壁面２に固定する固定ねじ４２ｅを挿通する挿通孔４２ｆが上下の対角位置の２箇所に設けられている。
なお、ケーブル挿通孔４２ｄを挿通する給電ケーブル５６は、ＥＰＤＭ等の合成ゴム製のグロメット４４を介して壁側に導出される。
【００６０】
上記のように構成される手摺側ブラケット半体４１は、止水用パッキン４３を介して固定ねじ４１ｄによってカバー材２０を被着した手摺本体１１に固定される。
なお、止水用パッキン４３には、配管８のエルボ部８ｂが挿通可能な配管挿通孔４３ａと、照明ユニット５０の給電ケーブル５６が挿通可能な、十字状のスリットを有するケーブル挿通孔４３ｂが設けられると共に、固定ねじ４１ｄが挿通可能な挿通孔４３ｃが上下左右の対称位置の４箇所に設けられている（図５参照）。この止水用パッキン４３は、カバー材２０に貼着される。
この場合、手摺側ブラケット半体４１を固定する固定ねじ４１ｄは、４箇所の挿通孔４１ｃのうちの対角位置にある２箇所に挿通されて、本体胴部１２に設けられたねじ受け部１２ｃにねじ結合することで、手摺側ブラケット半体４１を固定する。
【００６１】
上記のようにして手摺本体１１に固定された手摺側ブラケット半体４１に設けられた係止垂下片４１ｆを、壁面に固定された壁側ブラケット半体４２に設けられた係止段部４２ｃに係合した状態で手摺側ブラケット半体４１を壁側ブラケット半体４２に取り付ける。
【００６２】
上記ブラケット３０は、図４Ａ、図４Ｂ、図６及び図９に示すように、本体胴部１２に固定されるポリアセタール樹脂（ＰＯＭ）等製の手摺側ブラケット半体３１と、浴室１の壁面２に固定されるポリアセタール樹脂（ＰＯＭ）等製の壁側ブラケット半体３２とで構成されている。
【００６３】
この場合、手摺側ブラケット半体３１は、一端に垂直壁３１ａを有する下方が開口する半筒状体にて形成されており、垂直壁３１ａには、手摺側ブラケット半体３１を手摺本体１１に取り付ける固定ねじ３１ｂを挿通する挿通孔３１ｃが上下左右の対称位置の４箇所に設けられ、他端の上端部に係止垂下片３１ｄが形成されている。
なお、垂直壁３１ａに設けられた４個の挿通孔３１ｃの表面開口側には同心円状の凹所３１ｅが設けられており、凹所３１ｅ内にドーナツ円板状のパッキン３１ｆが貼着される。
また、垂直壁３１ａの下端部には、手摺側ブラケット半体３１の内方に向かって下部水平片３１ｇが設けられ、下部水平片３１ｇの中央部の肉厚部３１ｈに垂直状にねじ孔３１ｉが設けられている。また、手摺側ブラケット半体３１の両側面には、水平段部３１ｊが形成されている。
【００６４】
一方、壁側ブラケット半体３２は、壁面２に固定される垂直部３２ａと、垂直部３２ａの下端から直交状に屈曲する水平部３２ｂとからなる、略Ｌ字状に形成されており、垂直部３２ａの上端部に上方が開放する係止段部３２ｃが形成され、水平部３２ｂの先端側に、連結ねじ３３が挿通可能な長孔３２ｄが設けられている。
【００６５】
この場合、水平部３２ｂの中央部は先端に向かって肉厚に形成されており、肉厚部３２ｅの先端側に長孔３２ｄが設けられている。また、水平部３２ｂの両側部と垂直部３２ａの両側部は、先端に向かって傾斜する側部補強リブ３２ｆ，３２ｇによって連結され、水平部３２ｂの中央部と垂直部３２ａの中央部は、先端に向かって傾斜する中央補強リブ３２ｈによって連結されている。このように、側部補強リブ３２ｆ，３２ｇ、中央補強リブ３２ｈを設けることによって壁側ブラケット半体３２の強度が高められている。
【００６６】
なお、垂直部３２ａには、壁側ブラケット半体３２を壁面２に固定する固定ねじ３２ｉを挿通する挿通孔３２ｊが上下左右の４箇所に設けられている。
【００６７】
上記のように構成される手摺側ブラケット半体３１は、固定ねじ３１ｂによってカバー材２０を被着した手摺本体１１に固定されるのであるが、４個のうちの手摺本体１１の長手方向の両端部側に固定される手摺側ブラケット半体３１は、強度を持たせる必要があるため、少なくとも上部左右の挿通孔３１ｃと下部の一方の挿通孔３１ｃを挿通する３本の固定ねじ３１ｂを本体胴部１２に設けられたねじ受け部１２ｃにねじ結合することによって固定される。ここでは、３本の場合を示す。
内側に位置する残りの２個の手摺側ブラケット半体３１は、両側の手摺側ブラケット半体３１に比べて強度は要求されないので、上下左右の対角位置の挿通孔３１ｃを挿通する２本の固定ねじ３１ｂによって固定される。
【００６８】
上記のようにして手摺本体１１に固定された手摺側ブラケット半体３１に設けられた係止垂下片３１ｄを、壁面に固定された壁側ブラケット半体３２に設けられた係止段部３２ｃに係合し、手摺側ブラケット半体３１の下部水平片３１ｇを壁側ブラケット半体３２の水平部３２ｂの先端側に載せた状態で、水平部３２ｂに設けられた長孔３２ｄを挿通する連結ねじ３３を下部水平片３１ｇに設けられたねじ孔３１ｉにねじ結合して手摺側ブラケット半体３１と壁側ブラケット半体３２とを固定する。
【００６９】
次に、浴室手摺１０の取付手順について説明する。
浴室手摺１０を取り付ける前に、予め、カバー材２０に止水用パッキン４３を貼着し、手摺本体１１の本体胴部１２の中空筒状部１２ａ内に配管８を収容する。
【００７０】
配管８を本体胴部１２の中空筒状部１２ａ内に収容する場合は、配管８にホルダー部材１９を取り付けた状態で、ホルダー部材１９の両フランジ部１９ｂを本体胴部１２の内壁に設けられた狭隘開口溝１６に摺動させて、適当な位置で手摺本体１１の前面側から固定ねじ１７ｂによって固定する。このとき、配管８を回転させてエルボ部８ｂを本体胴部１２に設けられた長孔１２ｂを介して外方に突出させる。
【００７１】
なお、配管８を本体胴部１２の中空筒状部１２ａ内に収容した後、取付凹溝１４に照明ユニット５０を嵌合させた状態で取り付け、給電ケーブル５６を手摺本体１１の長孔１２ｂを通して外方へ引き出す。
【００７２】
上記のようにして配管８を収容し、照明ユニット５０を取り付けた後、カバー材２０の下端の開口部２１を広げるようにして手摺本体１１の上方から落とし込んで、先に前面側の係止凸条２２ａを本体胴部１２の前面側下部に設けられた係合溝１５ａにスナップ嵌合する。そして、配管８のエルボ部８ｂを配管挿通孔２０ａに挿通させると共に、照明ユニット５０の給電ケーブル５６をケーブル挿通孔２０ｂに挿通した状態で、裏面側の係止凸条２２ｂを本体胴部１２の裏面側下部に設けられた係合溝１５ｂにスナップ嵌合させることによって手摺本体１１に被着する。
【００７３】
手摺本体１１にカバー材２０を被着した後、カバー材２０の長手方向の一方の端部に接続部５を形成したにエンドキャップ２３を接着によって被着し、他方の端部にエンドキャップ２３を接着によって被着する。
【００７４】
次に、図１１に示すように、配管８のエルボ部８ｂと水栓連結部７を接続した状態で、連結用ブラケット４０の手摺側ブラケット半体４１を、止水用パッキン４３を介して固定する。また、４個のブラケット３０の手摺側ブラケット半体３１を手摺本体１１の長手方向に沿って適宜間隔をおいて設定された所定位置に固定する。
【００７５】
一方、連結用ブラケット４０の手摺側ブラケット半体４１と４個のブラケット３０の手摺側ブラケット半体３１に対応した壁面２に、連結用ブラケット４０の壁側ブラケット半体３２と４個のブラケット３０の壁側ブラケット半体４２を固定する。
【００７６】
図１０に示すように、手摺側ブラケット半体３１，４１を固定した浴室手摺１０（カバー材２０を被着した手摺本体１１）を、壁側ブラケット半体３２，４２の上方から下方へ移動させて、手摺側ブラケット半体３１の係止垂下片３１ｄを壁側ブラケット半体３２の係止段部３２ｃに係合させると共に、４個の手摺側ブラケット半体４１の係止垂下片４１ｆをそれぞれ壁側ブラケット半体４２の係止段部４２ｃに係合させて、浴室手摺１０（カバー材２０を被着した手摺本体１１）をセットする。
そして、４個の手摺側ブラケット半体４１と壁側ブラケット半体４２とを連結ねじ３３によって固定して取付が終了する。
【００７７】
＜第２実施形態＞
上記第１実施形態では、本体胴部１２の下部に照明ユニット５０を添設した場合について説明したが、この発明に係る浴室手摺１０は、照明ユニット５０を備えない場合についても適用できる。
【００７８】
この場合、図１２及び図１３に示すように、手摺本体１１Ａは、本体胴部１２の下端部に水平区画壁６１を設けて中空筒状部１２ａと中空矩形状部６２とを区画し、中空矩形状部６２の前面側端部と裏面側の水平区画壁６１の連結部にカバー材２０の係止凸条２２ａ，２２ｂと係合する係合溝１５ａ，１５ｂが形成されている。
【００７９】
第２実施形態において、カバー材２０の端部にエンドキャップ２３を被着する場合は、手摺本体１１Ａの中空矩形状部６２の端部とカバー材２０の端部との隙間にエンドキャップ２３の下端部に突設された保持部６３を介在させてカバー材２０の端部とエンドキャップ２３とを接着している（図１３Ａ参照）。
【００８０】
なお、第２実施形態において、その他の部分は第１実施形態と同じであるので、同一部分には同一符号を付して、説明は省略する。
【００８１】
上記実施形態の浴室手摺１０によれば、握り部１３の下方に位置する本体胴部１２の中空筒状部１２ａ内に配管を収容した状態で、本体胴部１２に取り付けられるブラケット３０を介して浴室の壁面２に固定するので、連続した握り部１３のどの位置でも握ることができると共に、給湯時の熱が本体胴部１２から握り部に伝わり難くして、握り部が熱くなるのを抑制できる。したがって、使用者は、浴室出入口から浴槽３までの歩行及び洗面からの立ち上がり動作を安全に行うことができる。
【００８２】
また、上記実施形態の浴室手摺１０によれば、図１４及び図１５に示すように、手摺本体１１の裏面に形成された段部１２ｄと、隣接するブラケット３０の手摺側ブラケット半体３１に形成された水平段部３１ｊの三辺、すなわち図１４（ａ）にハッチングで示す範囲に棚９を載置することができる。
【００８３】
この場合、棚９は、底部９ａに４つの長孔状の水抜き孔９ｂを有する矩形皿状に形成されており、長辺側の一方に垂直に起立する起立壁９ｃの上端部に係止片９ｄが形成されている。棚９は、係止片９ｄが手摺本体１１に形成された段部１２ｄに係止され、底部９ａの短辺側の二辺が隣接するブラケット３０に形成された水平段部３１ｊに係止された状態で載置される。
したがって、棚９を安定した状態で載置することができると共に、手摺本体１１の裏面側とブラケット３０間のスペースの有効利用が図れる。
【００８４】
なお、上記実施形態では、隣接するブラケット３０間に棚９を載置する場合について説明したが、隣接するブラケット３０と連結用ブラケット４０においても同様に棚９を載置することができる。この場合は、棚９の短辺側の二辺が隣接するブラケット３０に形成された水平段部３１ｊと連結用ブラケット４０に形成された水平段部４１ｇに係止された状態で載置する。
【符号の説明】
【００８５】
４  シャワー
５  接続部
７  水栓連結部
８  配管
９  棚
１０  浴室手摺
１１  手摺本体
１２  本体胴部
１２ａ  中空筒状部
１２ｄ  段部
１３  握り部
１４  取付凹溝
１５ａ，１５ｂ  係合溝
１６  狭隘開口溝
１９  ホルダー部材
１９ａ  保持部
１９ｂ  フランジ部
２０  カバー材
２３  エンドキャップ
３０  ブラケット
３１  手摺側ブラケット半体
３１ｄ  係止垂下片
３１ｊ  水平段部
３２  壁側ブラケット半体
３２ａ  垂直部
３２ｃ  係止段部
３３  連結ねじ（ねじ部材）
４０  連結用ブラケット
４１  手摺側ブラケット半体
４１ｆ  係止垂下片
４２  壁側ブラケット半体
４２ｃ  係止段部
４３  止水用パッキン
５０  照明ユニット
５２  プリント基板
５３  発光素子
５４  光源
５５  ケース
５６  給電ケーブル
【図１】
2019111255.tif 000003
【図２】
2019111255.tif 000004
【図２Ａ】
2019111255.tif 000005
【図２Ｂ】
2019111255.tif 000006
【図３】
2019111255.tif 000007
【図４Ａ】
2019111255.tif 000008
【図４Ｂ】
2019111255.tif 000009
【図５】
2019111255.tif 000010
【図６】
2019111255.tif 000011
【図７】
2019111255.tif 000012
【図８】
2019111255.tif 000013
【図９】
2019111255.tif 000014
【図１０】
2019111255.tif 000015
【図１１】
2019111255.tif 000016
【図１２】
2019111255.tif 000017
【図１３】
2019111255.tif 000018
【図１３Ａ】
2019111255.tif 000019
【図１４】
2019111255.tif 000020
【図１５】
2019111255.tif 000021